(57)【要約】可能性のあるいくつかの記録媒体（１６、１７、１８、１９）のうちの１つに記録データ（ＡＤ）を記録する記録装置（１）は、受信データ（ＥＤ）及びユーザ識別情報（ＢＫＩ）を受け取り、記録装置（１）のユーザを識別する受け取り手段（７）と、受け取られた受信データ（ＥＤ）を処理し、記録データ（ＡＤ）を出力する処理手段（８）と、記録媒体（１８）に記録データ（ＡＤ）を記録する記録手段（９）と、を備え、記録される前記記録データ（ＡＤ）は、受け取られた前記ユーザ識別情報（ＢＫＩ）によって識別される前記ユーザに割り当てられる。更に、少なくとも１つの記録媒体（１６、１７、１８、１９）が、ユーザ識別情報（ＢＫＩ）の各々の受け取り可能なアイテムに割り当てられることができ、記録手段（９）は、受け取られたユーザ識別情報（ＢＫＩ）によって識別される記録媒体（１６、１７、１８、１９）に記録データ（ＡＤ）を記録するように設計される。
2005518059.tif 000002
【特許請求の範囲】
【請求項１】
可能性のあるいくつかの記録媒体の１つに記録データを記録する記録装置であって、
受信データと、前記記録装置のユーザを識別するユーザ識別情報と、を受け取る受け取り手段と、
受け取られた前記受信データを処理し、前記記録データを出力する処理手段と、
記録媒体に前記記録データを記録する記録手段と、
を有し、記録される前記記録データは、受け取られた前記ユーザ識別情報によって識別されるユーザに割り当てられる、記録装置であって、
少なくとも１つの記録媒体が、前記ユーザ識別情報のそれぞれの受け取り可能なアイテムに割り当てられることが可能であり、前記記録手段が、前記受け取られたユーザ識別情報によって識別される記録媒体に、前記記録データを記録するように設計されることを特徴とする記録装置。
【請求項２】
記録媒体変更手段が、少なくとも２つの記録媒体ホルダを備え、ユーザ識別情報によって識別される記録媒体が、前記記録媒体ホルダの各々に入れられ、前記記録媒体変更手段が、前記受け取られたユーザ識別情報によって識別される記録媒体への前記記録データの記録を可能にするために、該記録媒体の記録媒体ホルダの位置を変更するように設計されることを特徴とする、請求項１に記載の記録装置。
【請求項３】
記録媒体変更手段が、少なくとも２つの記録媒体ホルダを備え、記録媒体が、ユーザ識別情報によって識別可能な前記記録媒体ホルダの各々に入れられ、前記記録媒体変更手段が、前記記録媒体ホルダに収容される前記記録媒体への前記記録データの記録を可能にするために、前記受け取られたユーザ識別情報によって識別される記録媒体ホルダの位置を変更するように設計されることを特徴とする、請求項１に記載の記録装置。
【請求項４】
２つ又はそれ以上の記録媒体が、前記ユーザ識別情報のそれぞれの受け取り可能なアイテムに割り当てられることが可能であることを特徴とする、請求項１に記載の記録装置。
【請求項５】
更に、１つの記録媒体が、前記ユーザ識別情報の２つ又はそれ以上のアイテムに割り当てられることが可能であることを特徴とする、請求項１に記載の記録装置。
【請求項６】
前記再生手段が、前記受け取られたユーザ識別情報によって識別される記録媒体から再生データを再生するように設計されることを特徴とする、請求項１に記載の記録装置。
【請求項７】
前記記録媒体が、光学的に読み取り可能であることを特徴とする、請求項１に記載の記録装置。
【請求項８】
前記記録媒体がＤＶＤ−ＲＷの形をとることを特徴とする、請求項１に記載の記録装置。
【請求項９】
可能性のあるいくつかの記録媒体の１つに記録データを記録する記録方法であって、
受信データを受け取り、前記記録方法を実行する記録装置のユーザを識別するユーザ識別情報を受け取るステップと、
受け取られた前記受信データを処理し、前記記録データを出力するステップと、
記録媒体に前記記録データを記録するステップと、
を含み、記録される前記記録データは、受け取られた前記ユーザ識別情報によって識別されるユーザに割り当てられる、記録方法であって、
少なくとも１つの記録媒体が、前記受け取られたユーザ識別情報のそれぞれのアイテムに割り当てられ、前記記録データが、前記受け取られたユーザ識別情報によって識別される記録媒体に記録される、記録方法。
【請求項１０】
前記記録データを記録する前に、前記受け取られたユーザ識別情報によって識別される前記記録媒体が、少なくとも２つの記録媒体から選ばれ、記録のために配置される、請求項９に記載の記録方法。
【発明の詳細な説明】
【技術分野】
【０００１】
本発明は、可能性のあるいくつかの記録媒体のうちの１つに記録データを記録する記録装置であって、受信データ及び記録装置のユーザを識別するユーザ識別情報を受け取る受け取り手段と、受け取られた受信データを処理し、記録データを出力する処理手段と、記録媒体に記録データを記録する記録手段とを有し、記録される記録データが、受け取られたユーザ識別情報によって識別されるユーザに割り当てられる記録装置に関する。
【０００２】
更に、本発明は、可能性のあるいくつかの記録媒体のうちの１つに記録データを記録する記録方法であって、受信データを受け取り、記録装置のユーザを識別するユーザ識別情報を受け取るステップと、受け取られた受信データを処理し、記録データを出力するステップと、記録媒体に記録データを記録するステップと、を含み、記録される記録データが、受け取られたユーザ識別情報によって識別されるユーザに割り当てられる記録方法に関する。
【背景技術】
【０００３】
このような記録装置及びこのような記録方法は、英国特許出願公開第ＧＢ２ ３４６ ２５１Ａ号明細書から知られており、ハードディスクレコーダの形をとる。既知のハードディスクレコーダは、ハードディスクからなる記録媒体にテレビ番組を含む受信データを記録するように設計される。ハードディスクレコーダのユーザは、「新しいユーザメニュー」に記入することによってハードディスクレコーダの新しいユーザとして登録することができ、それによって、ユーザ識別情報がユーザに割り当てられる。
【０００４】
ユーザが、テレビ番組を後に再生するために、ハードディスクにテレビ番組を記録したいと思う場合、ユーザはまず、自分のユーザ識別情報を入力しなければならない。テレビ番組の記録中に記録される記録データは、それがハードディスクに記録されるとき、当該ユーザのユーザ識別情報に割り当てられる。
【０００５】
ユーザが、以前に記録されたテレビ番組を再生したいと思う場合、ユーザは、自分のユーザ識別情報を入力しなければならず、それによって、このユーザのためにハードディスクに記録されたすべてのテレビ番組が、このユーザのために「再生リスト」に列挙される。ユーザが、列挙されたテレビ番組のうちの１つを選択すると、ハードディスクレコーダは、この選択されたテレビ番組に関して、ハードディスク上の該ユーザに割り当てられた再生データを再生し始める。
【０００６】
ユーザが、自分のために記録された１つ又は複数のテレビ番組を友人に渡したいと思う場合、例えば、既知のハードディスクレコーダは、これらのテレビ番組に関する適当な再生データが携帯可能な記録媒体にコピーされることを可能にするコピーモードを有する。
【発明の開示】
【発明が解決しようとする課題】
【０００７】
既知の記録装置及び既知の記録方法の場合、ユーザに対し、１つ又は複数の記録されたテレビ番組に関する記録データ又は再生データのみが割り当てられうることが不利益であることが分かった。ユーザは、記録媒体への記録の物理的位置に影響を与えるいかなる可能性ももたない。このようにして、他の不利益に加えて、ハードディスクレコーダは更に、特定の記録媒体に特定の記録をコピーするために上述したコピーモードを必要とする。
【０００８】
本発明の目的は、上述の不利益が回避される第１の段落に示すタイプの記録装置及び第２の段落に示すタイプの記録方法を提供することである。
【課題を解決するための手段】
【０００９】
このような記録装置に関して上述した目的を達成するために、少なくとも１つの記録媒体が、ユーザ識別情報のそれぞれの受け取り可能なアイテムに割り当てられることが可能であり、記録手段が、受け取られたユーザ識別情報によって識別される記録媒体に記録データを記録するように設計される。
【００１０】
このような記録方法に関して上述した目的を達成するために、少なくとも１つの記録媒体が、受け取られたユーザ識別情報のそれぞれのアイテムに割り当てられ、記録データが、受け取られたユーザ識別情報によって識別される記録媒体に記録される。
【００１１】
本発明による特徴は、１つ又は複数の物理的な記録媒体がそれぞれのユーザに割り当てられることができることを確実にする。ユーザが、自分のユーザ識別情報を入力することによって自己を特定するとすぐに、このユーザのために記録されるべきすべての記録データは、このユーザに割り当てられた記録媒体に記録される。このような構造は、記録媒体が記録装置から取り外されることができる携帯可能な記録媒体である場合に特に有利である。この場合、ユーザは、自分の１つ又は複数の記録媒体を取り外すことによって、自分のために記録された自分のすべての記録データを持ち運ぶことができる。
【００１２】
同様に、ユーザを識別するユーザ識別情報が、記録媒体に記録されることも可能である。このような記録媒体を記録装置に挿入することによって、ユーザは記録装置に対して自己を特定し、それによってユーザによるユーザ識別情報の入力が有利に省かれる。
【００１３】
請求項２に記載の実施形態によれば、複数の記録媒体が、記録装置に入れられることができ、記録媒体変更手段が、記録が始まる前に、入力されたユーザ識別情報によって識別される記録媒体を記録手段に対して配置するという利点が達成される。
【００１４】
このようにして、例えば、ＤＶＤ−ＲＷが、記録媒体として家族のそれぞれの構成員に割り当てられることができる。家族の一員、例えばその家族の息子が、記録装置を使用してテレビ番組の記録を生じさせる場合、息子に割り当てられたＤＶＤ−ＲＷが、テレビ番組を記録するために自動的に使用される。家族のそれぞれの構成員は、その息子も含めて、自分に割り当てられたＤＶＤ−ＲＷをいつでも記録装置から取り外すことができ、こうして、例えば友人のところに自分の記録を持っていくことができる。息子の友人の家で同様に本発明による記録装置において息子のために行われる記録は、息子のＤＶＤ−ＲＷに同様に自動的に記録され、容易に家に持ち帰ることができる。
【００１５】
更に、家族の父は、例えば父に割り当てられたＤＶＤ−ＲＷを取り外すことによって、父によって記録されたいかなるテレビ番組も息子にとってアクセス可能でないようにすることを確実にすることができるという利点が得られる。このようにして、記録されたテレビ番組を不所望のアクセスから保護するために既知の記録装置の場合に必要であるようなパスワード及びナンバーコードの入力を、簡単なやり方で省くことができる。
【００１６】
請求項３に記載の実施形態によれば、ユーザのユーザ識別情報に割り当てられるのは、記録媒体自体ではなく、記録媒体変更手段の記録媒体ホルダであるという利点が達成される。この記録媒体ホルダに挿入されるそれぞれの記録媒体は、こうしてユーザに割り当てられる。これは、ユーザが、いかなる割り当てプロシージャを実施する必要もなく、フリーの記録容量をもつ記録媒体を自分の記録媒体ホルダに常に挿入することができるという利点をもつ。記録装置は、ユーザのための記録を行うために、このユーザに割り当てられた記録媒体ホルダに含まれる記録媒体を自動的に使用する。
【００１７】
請求項４に記載の実施形態によれば、ユーザによって要求される記録容量に依存して、２又はそれ以上の記録媒体がユーザに割り当てられることができるという利点が達成される。
【００１８】
請求項５に記載の実施形態によれば、１つの記録媒体が、２又はそれ以上のユーザに割り当てられることもできるという利点が達成される。こうして、例えば、２人の子供の双方が同じ年代の者に適したテレビジョンフィルムを記録し再生することがあるので、１つの記録媒体が、家族の子供達に割り当てられることが可能である。
【発明を実施するための最良の形態】
【００１９】
本発明は、図面に示す実施例を参照して更に説明されるが、本発明はこれに限定されるものではない。
【００２０】
図１は、アンテナ２及びテレビジョン装置３が接続されるＤＶＤレコーダ１を示す。アンテナ信号ＡＳは、アンテナ２によって、ＤＶＤレコーダ１のチューナ４に出力されることができる。例えばＣＮＮを含む複数のテレビジョン放送事業者からの受信データＥＤは、アンテナ信号ＡＳに含まれ、チューナ４は、一般に知られているように、テレビジョン放送事業者のうちの１つの受信データＥＤを選択するように設計される。
【００２１】
ＤＶＤレコーダ１のユーザは、ＤＶＤレコーダ１上のキーパッド５によって、所望のテレビジョン放送事業者を選択することができ、それによって選択情報ＡＩは、ＤＶＤレコーダ１のコントローラ手段６に出力され、そこからチューナ４に出力される。チューナ４及びキーパッド５は、受信データＥＤを受け取る受け取り手段７を形成する。更に、ユーザを識別するユーザ識別情報ＢＫＩが、キーパッド５を通して入力されてもよい。これについては、以下に更に詳しく説明される。
【００２２】
チューナ４によって受け取られる受信データＥＤは、ＤＶＤレコーダ１の処理手段８に出力されることができる。処理手段８は、受信データＥＤを処理し、標準ＤＶＤレコーダから知られているようなＤＶＤ−ＲＷ（Digital Versatile Disk Read Write）の形の記録媒体に記録可能である記録データＡＤを出力するように設計される。
【００２３】
ＤＶＤレコーダ１の記録手段９は、アクティブな接続１０を介して、記録手段９に適用されるＤＶＤ−ＲＷに、出力された記録データＡＤを記録するように設計される。記録手段９は、バッファメモリ手段と、ＤＶＤ−ＲＷに記録データＡＤを記録するための他の知られた手段とを有し、これらについては、上述の理由により更に詳しくは説明しない。
【００２４】
ＤＶＤレコーダ１は、第１の記録媒体ホルダ１２、第２の記録媒体ホルダ１３、第３の記録媒体ホルダ１４及び第４の記録媒体ホルダ１５を具備するＤＶＤチェンジャ１１を有する。第１のＤＶＤ−ＲＷ１６、第２のＤＶＤ−ＲＷ１７、第３のＤＶＤ−ＲＷ１８及び第４のＤＶＤ−ＲＷ１９は、４つの記録媒体ホルダ１２、１３、１４及び１５に入れられ又は挿入されることができる。記録媒体ホルダ１２、１３、１４又は１５のうちの１つをその都度１８０度回転させるとともに、この回転された記録媒体ホルダに含まれるＤＶＤ−ＲＷ１６、１７、１８又は１９を記録手段９に適用するために、モータ制御情報ＭＳＩが、マイクロプロセッサ及びＥＥＰＲＯＭを有するコントローラ手段６によって、ＤＶＤチェンジャ１１の制御段２０に出力されることができる。図１は、記録手段９に適用される第３の記録媒体ホルダ１４に含まれる第３のＤＶＤ−ＲＷ１８を示している。
【００２５】
動作の更なる詳細及びＤＶＤレコーダ１の利点は、適用例を参照して以下により十分に説明される。適用例によれば、家族（父、母、息子及び娘）は、ＤＶＤレコーダ１を購入し、すでに通常のインストールプロシージャを済ませているものとする。ＤＶＤレコーダ１は、ユーザをのちに識別するためのユーザ識別情報ＢＫＩを各ユーザに割り当てるために、どのユーザがＤＶＤレコーダ１を使用するかをたずねる。ユーザ識別情報の第１のアイテムＢＫＩ１は、父に割り当てられる。父は、キー２１を作動させることによって第１のアイテムＢＫＩ１を入力することができる。ユーザ識別情報の第２のアイテムＢＫＩ２及びキー２２は、母に割り当てられ、ユーザ識別情報の第３のアイテムＢＫＩ３及びキー２３は、息子に割り当てられ、ユーザ識別情報の第４のアイテムＢＫＩ４及びキー２４は、娘に割り当てられる。
【００２６】
コントローラ手段６は、ユーザ識別情報のこれらのアイテムＢＫＩ１、ＢＫＩ２、ＢＫＩ３及びＢＫＩ４の各々を、少なくとも１つの記録媒体ホルダ１２、１３、１４又は１５に割り当て、それによって少なくとも1つの記録媒体、すなわちＤＶＤ−ＲＷ１６、１７、１８又は１９のうちの１つに割り当てるように設計される。このために、ユーザは、どのユーザにどれくらいの記録容量（１つのＤＶＤ−ＲＷの記録容量の１乃至４倍）が利用可能であるかを示すように求められる。
【００２７】
本実施例によれば、第１の記録媒体ホルダ１２が、父に属するユーザ識別情報の第１のアイテムＢＫＩ１に割り当てられ、第２及び第３の記録媒体ホルダ１３及び１４が、母に属するユーザ識別情報の第２のアイテムＢＫＩ２に割り当てられ、第４の記録媒体ホルダ１５が、息子に属するユーザ識別情報の第３のアイテムＢＫＩ３及び娘に属するユーザ識別情報の第４のアイテムＢＫＩ４に割り当てられるようなやり方で、ＤＶＤレコーダ１が家族によってプログラムされる。
【００２８】
こうして、１つ又は複数のＤＶＤ−ＲＷを１又は複数のユーザに直接に割り当てることが有利に達成される。父は、第１のＤＶＤ−ＲＷ１６の記録容量の範囲内で、母は、第２のＤＶＤ−ＲＷ１７及び第３のＤＶＤ−ＲＷ１８の記録容量の範囲内で、子供達は、第４のＤＶＤ−ＲＷ１９の記録容量の範囲内で、有利にテレビ番組を記録することができる。この直接の割り当ての他の利点は次の通りである。
【００２９】
父が、定期的にサイエンスシリーズ「Ｕｎｉｖｅｒｓｕｍ」のテレビ番組を記録するものとする。この目的のため、父は、プログラムするとき、通常の番組エントリ（日付、放送事業者、時間、...）を行うことに加えて、父に割り当てられたキー２１を作動させ、それによってユーザ識別情報の第１のアイテムＢＫＩ１が、キーパッド５によってコントローラ手段６に出力される。テレビ番組「Ｕｎｉｖｅｒｓｕｍ」の記録が始まる直前に、コントローラ手段６は、ユーザ識別情報の第１のアイテムＢＫＩ１に割り当てられた第１の記録媒体ホルダ１２を１８０度回転させ、それを記録手段９に適用するために、モータ制御情報ＭＳＩを制御段２０に出力する。こうして、テレビ番組「Ｕｎｉｖｅｒｓｕｍ」が、父に割り当てられた第１のＤＶＤ−ＲＷ１６に、父のために記録される。
【００３０】
このようにして、すべての父のテレビ番組記録が第１のＤＶＤ−ＲＷ１６に記録されるという利点が達成される。こうして、父は、単に第１のＤＶＤ−ＲＷ１６を取り外すことによってＤＶＤレコーダ１からすべての父の記録を取り外すことができる。父は、第１のＤＶＤ−ＲＷ１６を安全な場所に保つことができ、それによって自分の記録へのアクセスを防ぐことができる。更に、父は、任意の標準ＤＶＤレコーダを有する友人のところに自分の第１のＤＶＤ−ＲＷ１６を持っていき、そこで自分の記録のすべてを再生し、又は他のテレビ番組を更に記録することが可能である。
【００３１】
特定の利点は、父が、自分に割り当てられた第１の記録媒体ホルダ１２に他のＤＶＤ−ＲＷを挿入し、当該他のＤＶＤ−ＲＷに他の記録を行うことができることである。この利点は、記録媒体ではなく記録媒体ホルダをユーザに割り当てることによって達成される。
【００３２】
他方、娘がテレビ番組を記録したいと思う場合、娘は第４のキー２４を作動させ、それによって、ユーザ識別情報の第４のアイテムＢＫＩ４が、コントローラ手段６に出力される。娘が見たいと思うテレビ番組であって、実は息子もみたいと思うテレビ番組の記録データは、第４の記録媒体ホルダ１５に含まれる第４のＤＶＤ−ＲＷ１９に記録される。
【００３３】
単一の記録媒体ホルダ又は単一の記録媒体に２又はそれ以上のユーザを割り当てることによって、これらのユーザが１つの記録媒体の記録容量を動的に共有することができるという利点が達成される。
【００３４】
更に、記録手段９は、記録手段９に適用されるＤＶＤ−ＲＷに記録データＡＤとして記録された再生データＷＤを再生する再生手段を形成する。再生された再生データＷＤは、記録されたテレビ番組の再生のため、テレビジョン装置３に供給されることができる。
【００３５】
記録されたテレビ番組の再生の前に、個々のユーザは、自分のユーザ識別情報ＢＫＩを入力することを要求され、それによって、ユーザの（複数の）ＤＶＤ−ＲＷに記録されたテレビ番組が、ユーザが選択するためにそのユーザに表示される。ユーザに割り当てられたＤＶＤ−ＲＷは、ＤＶＤチェンジャ１１によって記録手段９に適用され、ユーザによって選択されたテレビ番組の再生データＷＤの再生が始まりうる。
【００３６】
更に、ＤＶＤレコーダ１は、息子がキー２３を作動させる場合、娘のために第４のＤＶＤ−ＲＷ１９に記録されたテレビ番組ではなく、息子のために第４のＤＶＤ−ＲＷ１９に記録されたテレビ番組だけが表示されるようにも設計される。従って、有利には、娘及び息子の双方に割り当てられた第４のＤＶＤ−ＲＷ１９が、コントローラ手段６によって、２つの論理ユニットにさらに分けられる。このようにして、実質的により多くのユーザが、相対的に少数の記録媒体に割り当てられることができる。しかしながら、これらの各々のケースにおいて、ユーザは、特定の記録媒体に明白に割り当てられ、それによって上述の利点を達成する。
【００３７】
図１に図示されない第２の実施例によれば、ユーザ識別情報ＢＫＩのアイテムの記録媒体への直接の割り当てが、本発明による記録装置によって実施されることもできる。このケースにおいて、インストールプロシージャ中、ユーザ識別情報ＢＫＩが記録媒体に割り当てられる場合、ユーザによって入力されたユーザ識別情報ＢＫＩのアイテムが、コントローラ手段によって記録手段に出力され、それによって割り当てられるべき記録媒体に記録される。
【００３８】
インベントリプロシージャにおいて、第２の実施例によるこの記録装置は、再生手段に向けてすべての記録媒体ホルダを連続して回転させ、記録媒体ホルダに含まれる記録媒体のユーザ識別情報ＢＫＩを読み出し、それをコントローラ手段に記憶することができる。このようにして、それぞれのユーザのために使用されるべき記録媒体が識別され、後続の記録及び再生プロシージャのために使用されることができる。
【００３９】
ユーザ識別情報が、記録装置のキーパッドにより入力されるべきキャラクタコードの形をとる場合、本発明による記録媒体のユーザへの割り当てが、ユーザ自身のものだけでなく、あらゆる記録装置について実施される。この場合、父は、友人のところに自分の記録媒体を持っていくことができ、それを本発明による友人の記録装置に挿入することができる。この記録装置は、インベントリプロシージャを実施し、父が自分のユーザ識別情報ＢＫＩを構成するキャラクタコードを入力すると、友人の記録装置もまた、父の記録媒体に記録し、父の記録媒体から再生する。
【００４０】
本発明による記録装置において使用されうる、任意には携帯可能な、複数のさまざまな異なる記録媒体が、当業者に知られていることに注意すべきである。例えば、記録媒体は、ＳＡＣＤ（スーパーオーディオコンパクトディスク）、ＣＤ−Ｒ、ＤＶＤ＋ＲＷ、ＤＶＤ−ＲＷ、ＶＣＤ（ビデオＣＤ）、ＤＶＤ＋Ｒ、ＤＶＤ−Ｒ、ＤＶＤ−ＲＡＭ、ハードディスク、リニアテープオープン（Linear Tape Open）磁気テープでありうる。
【００４１】
さまざまな異なる複数の記録媒体チェンジャ手段が知られており、本発明は、図１に従う設計に決して限定されないことを述べておく。
【図面の簡単な説明】
【００４２】
【図１】記録媒体ホルダがＤＶＤレコーダのユーザに割り当てられることができる、ＤＶＤチェンジャ装置を有するＤＶＤレコーダを示す図。
【図１】
2005518059.tif 000003
【国際調査報告】
2005518059.tif 000004
2005518059.tif 000005
2005518059.tif 000006